(57)【要約】【課題】機器のデザインを重視するとともにコーナー部のスペースを有効に利用して機器の軽薄短小化を図ることができるスイッチの取付構造を提供する。【解決手段】  コーナー部８Ａに開口８Ｂされるパネル８を備え、このパネル８のコーナー部８Ａの開口８Ｂに装着されるスイッチであって、このスイッチの上部の周縁部と、この周縁部の前方からＲ部を介して下方に延びる垂下部４Ｃを有するフランジ４を備え、かつ前記フランジ４の垂下部４Ｃに対向して形成される取付用凹所６と、この取付用凹所６に装着されるクリップ状の取付用板ばね７と、前記スイッチの後端部に形成される取付板３とを具備し、前記パネル８の開口８Ｂへの前記スイッチの上方からの差し込みにより、前記取付板３と取付用板ばね７との共働作用により前記パネル８のコーナー部８Ａへ前記スイッチを取り付ける。【選択図】図２
2008034161.tif 000002
【特許請求の範囲】
【請求項１】
コーナー部に開口されるパネルを備え、該パネルのコーナー部の開口に装着されるスイッチであって、該スイッチの上部の周縁部と、該周縁部の前方からＲ部を介して下方に延びる垂下部を有するフランジを備え、かつ前記フランジの垂下部に対向して形成される取付用凹所と、該取付用凹所に装着される取付用板ばねと、前記スイッチの後端部に形成される取付板とを具備し、前記パネルの開口への前記スイッチの上方からの差し込みにより、前記取付板と前記取付用板ばねとの共働作用により前記パネルのコーナー部へ前記スイッチを取り付けることを特徴とするスイッチの取付構造。
【請求項２】
前記取付用板ばねはクリップ状の板ばねで形成し、該クリップ状の曲げ部をＲ状に形成するとともに平坦部の略中央部の両端に切り欠きを設けて外側に折曲した折曲片を形成するようにしたことを特徴とする請求項１記載のスイッチの取付構造。
【請求項３】
前記取付用板ばねを前記スイッチ本体の側面下方からＴ字形の曲面状の突片とその左右から突出した第１、第２の折曲片を形成するようにしたことを特徴とする請求項１記載のスイッチの取付構造。
【発明の詳細な説明】
【技術分野】
【０００１】
本発明は、スイッチの側面に設けた取付ばねにより機器のコーナー部に取り付けるスイッチの取付構造に関するものである。
【背景技術】
【０００２】
従来のスイッチの取付構造は、スイッチ本体にねじを形成して操作部を設けたスイッチを、機器のパネルの丸孔に突出してパネル上面からナットを締め付けるものや取付板を設けたスイッチをパネル上面からビスで２箇所締め付ける構造のものが一般的であった。また、デザインを重視する機器にあってはスイッチ本体の側面に取付ばねを設けたスイッチを機器の上面から差込取付を可能にした取付構造が普及している。
【０００３】
一般に、従来のスイッチの取付構造は、枠体内にスイッチを取り付けるようにしており（下記特許文献１，２参照）、スイッチのコーナー部を利用してスイッチを取り付けるようになってはいないのが現状であった。
【特許文献１】実開平１−１４０７２１号公報
【特許文献２】特開平９−１４７６７０号公報
【発明の開示】
【発明が解決しようとする課題】
【０００４】
以上で述べた従来のスイッチの取付構造は、機器の上面や側面に取り付けられるが、機器の軽薄短小化と差別化した商品の開発から、機器の内部を有効的に活用するため、スイッチをコーナー部に沿って取り付けられる構造が求められてきた。
【０００５】
本発明は、このような従来の構成では不可能であった問題を解決しようとするものであり、機器のデザインを重視するとともにコーナー部のスペースを有効に利用して機器の軽薄短小化を図ることができるスイッチの取付構造を提供することを目的とするものである。
【課題を解決するための手段】
【０００６】
本発明は、上記目的を達成するために、
〔１〕スイッチの取付構造において、コーナー部に開口されるパネルを備え、このパネルのコーナー部の開口に装着されるスイッチであって、このスイッチの上部の周縁部と、この周縁部の前方からＲ部を介して下方に延びる垂下部を有するフランジを備え、かつ前記フランジの垂下部に対向して形成される取付用凹所と、この取付用凹所に装着される取付用板ばねと、前記スイッチの後端部に形成される取付板とを具備し、前記パネルの開口への前記スイッチの上方からの差し込みにより、前記取付板と前記取付用板ばねとの共働作用により前記パネルのコーナー部へ前記スイッチを取り付けることを特徴とする。
【０００７】
〔２〕上記〔１〕記載のスイッチの取付構造において、前記取付用板ばねはクリップ状の板ばねで形成し、このクリップ状の曲げ部をＲ状に形成するとともに平坦部の略中央部の両端に切り欠きを設けて外側に折曲した折曲片を形成するようにしたものである。
【０００８】
〔３〕上記〔１〕記載のスイッチの取付構造において、前記取付用板ばねを前記スイッチ本体の側面下方からＴ字形の曲面状の突片とその左右から突出した第１、第２の折曲片を形成するようにしたものである。
【発明の効果】
【０００９】
上述したように本発明のスイッチの取付構造は、機器のデザインを重視するとともに、コーナー部のスペースを有効に利用して機器の軽薄短小化を図ることができる。
【００１０】
また、パネルの開口へのスイッチの上方からの差し込みにより、スイッチの後端部に配置される取付板とスイッチの下部の前面とフランジの垂下部との間に挿入されるパネルに係合する取付用板ばねにより、機器のパネルのコーナー部にワンタッチで取り付けられる。更に、スイッチ本体の側面に設けたフランジ部側の取付用板ばねがパネル内面の上下複数箇所押圧して取り付けられるため、機器の振動衝撃に対してもスイッチが飛び出してしまうことなく強固に取り付けることができる。
【発明を実施するための最良の形態】
【００１１】
本発明のスイッチの取付構造は、コーナー部に開口されるパネルを備え、このパネルのコーナー部の開口に装着されるスイッチであって、このスイッチの上部の周縁部と、この周縁部の前方からＲ部を介して下方に延びる垂下部を有するフランジを備え、かつ前記フランジの垂下部に対向して形成される取付用凹所と、この取付用凹所に装着される取付用板ばねと、前記スイッチの後端部に形成される取付板とを具備し、前記パネルの開口への前記スイッチの上方からの差し込みにより、前記取付板と前記取付用板ばねとの共働作用により前記パネルのコーナー部へ前記スイッチを取り付ける。
【実施例】
【００１２】
図１は本発明の実施例を示すスイッチを示す斜視図、図２はそのスイッチのパネル面への取り付け状態を示す斜視図、図３はそのスイッチの取付用板ばねの構造を示す斜視図、図４はそのスイッチの取付構造を示す要部拡大断面図である。
【００１３】
これらの図において、１はスイッチ本体、ここでは押しボタンスイッチを示している。２はそのスイッチ操作部、３はスイッチ本体１の後部に一体に形成される取付板、４はスイッチ操作部２の後部４Ａ、側部４Ｂ及びＲ部を介して下部へ垂下する垂下部４Ｃを有するフランジ部、５はその垂下部４Ｃ間に配置される前面ガード板、６はスイッチ本体１の下部に形成される取付用凹所、７はフランジ部４の垂下部４Ｃとパネル８（後述）との間に装着されるクリップ状の取付用板ばねであり、スイッチの取付用凹所６に装着される。なお、スイッチの取付用凹所６は下部にクリップ状の取付用板ばね７の脚部７Ａの支点となる係合部６Ａと、取付用板ばね７の曲げ部７Ｂが当接する上面部６Ｂとが形成されている。なお、７Ｄは取付用板ばね７の自由端部である。また、取付用板ばね７の平坦部の略中央部の両端に切り欠きを設けて外側に折曲した折曲片（係止片）７Ｃが切り起こされている。
【００１４】
８はスイッチ本体１が取り付けられるパネルであり、このパネル８はそのコーナー部８Ａに開口８Ｂが形成されており、このパネル８の開口８Ｂにスイッチ本体１が上方から差し込まれる。つまり、その開口８Ｂの周縁部にフランジ部４の下面が当接するように、スイッチ本体１の後部の取付板３と、スイッチ本体１の取付用凹所６に装着される取付用板ばね７の共働作用により、スイッチ本体１は強固に取り付けられる。すなわち、取付用板ばね７は脚部７Ａを支点とし、その折曲面部７Ｂを上方にし、係止片７Ｃを外側にしてフランジ４の垂下部４Ｃ側に配置されているので、フランジ４の垂下部４Ｃと係止片７Ｃの間にパネル８が挿入されるとワンタッチでスイッチ本体１がパネル８に取り付けられることになる。その取り付け状態から、スイッチ本体１をパネル８に対して上方へ引き抜こうとすると、取付用板ばね７の係止片７Ｃがパネル８の内側面に係止して引き抜きを阻止することになる。
【００１５】
図５は本発明の他の実施例を示すスイッチの取付用板ばねを示す図、図６はその取付用板ばねにより、スイッチをパネルに取り付けた状態を示す要部拡大断面図である。
【００１６】
この図において、１１は取付用板ばねであり、この取付用板ばね１１は、下面部１１Ａと、Ｔ字形の曲面状突片１１Ｂとその左右から突出した第１、第２の折曲片１１Ｃ，１１Ｄとを具備している。
【００１７】
そこで、パネル８に対してスイッチ本体１が上方から差し込まれると、パネル８はフランジ部４の垂下部４Ｃと取付用板ばね１１のＴ字形の曲面状突片１１Ｂとの間に差し込まれると、ワンタッチでスイッチ本体１はパネル８に取り付けられる。
【００１８】
その取り付け状態から、スイッチ本体１をパネル８に対して上方へ引き抜こうとすると、取付用板ばね１１の第２の折曲片１１Ｄがパネル８の内側面に係止して引き抜きを阻止することになる。
【００１９】
このように、スイッチ本体は、パネルのコーナー部に強固に取り付けることができる。したがって、パネルのコーナー部を利用して容易にスイッチを配置することができ、コーナー部のスペースの有効活用を図ることができ、スイッチの軽薄短小化を図ることができる。また、パネルのコーナー部を利用しているのでデザイン上も好ましいものとなっている。
【００２０】
また、本発明のスイッチとしては、押ボタンスイッチやロッカースイッチだけでなく、表示灯や各種メーター類の取り付けにも利用可能であり、種々の用途に使用することができる。
【産業上の利用可能性】
【００２１】
本発明のスイッチの取付構造は、機器のコーナー部にスイッチを取り付けられる構造であり、デザインを重視する機器や軽薄短小化の電気機器に適している。
【図面の簡単な説明】
【００２２】
【図１】本発明の実施例を示すスイッチを示す斜視図である。
【図２】本発明の実施例を示すスイッチのパネル面への取り付け状態を示す斜視図である。
【図３】本発明の実施例を示すスイッチの取付用板ばねの構造を示す斜視図である。
【図４】本発明の実施例を示すスイッチの取付構造を示す要部拡大断面図である。
【図５】本発明の他の実施例を示すスイッチの取付用板ばねを示す図である。
【図６】本発明の他の実施例を示すスイッチをパネルに取り付けた状態を示す要部拡大断面図である。
【符号の説明】
【００２３】
１    スイッチ本体
２    スイッチ操作部
３    取付板（スイッチの後部）
４    フランジ部
４Ａ    スイッチ操作部の後部
４Ｂ    スイッチ操作部の側部
４Ｃ    垂下部
５    前面ガード板
６    取付用凹所
６Ａ    係合部
６Ｂ    上面部
７    クリップ状の取付用板ばね
７Ａ    取付用板ばねの脚部
７Ｂ    取付用板ばねの曲げ部
７Ｃ    折曲片（係止片）
７Ｄ    取付用板ばねの自由端部
８    パネル
８Ａ    コーナー部
８Ｂ    開口
１１    取付用板ばね
１１Ａ    下面部
１１Ｂ    Ｔ字形の曲面状突片
１１Ｃ    第１の折曲片
１１Ｄ    第２の折曲片
【図１】
2008034161.tif 000003
【図２】
2008034161.tif 000004
【図３】
2008034161.tif 000005
【図４】
2008034161.tif 000006
【図５】
2008034161.tif 000007
【図６】
2008034161.tif 000008